(57)【要約】【課題】用紙と紙管との接着力を所望の値以上としつつ、印刷時において記録装置の給紙力の範囲内での引っ張り力で用紙が紙管から容易に剥離可能なロール紙を提供すること。【解決手段】ロール紙１は、紙管２に用紙４が、用紙４の巻き始め先端部４ａの用紙幅のほぼ全域が紙管２と密着するように、一枚の両面粘着テープ５を介して貼り付けられている。そして、両面粘着テープ５は、紙送り方向と直交する方向Ｙ（紙管２の軸線方向と一致する）に対して傾く外縁として長辺６及び短辺７を有している。【選択図】    図１
2004358755.tif 000002
【特許請求の範囲】
【請求項１】
紙管に長尺の用紙を巻きつけて構成されたロール紙であって、該紙管の外周と該用紙の巻き始め端部とが両面粘着テープによって貼合され、該両面粘着テープが、紙送り方向に向くと共に紙送り方向と直交する方向に対して傾く外縁を有することを特徴とするロール紙。
【請求項２】
前記両面粘着テープが、前記外縁から構成された、前記紙送り方向に向く頂部を有することを特徴とする請求項１に記載のロール紙。
【請求項３】
前記紙送り方向と直交する方向に対する外縁の傾き角度が１０°以上であることを特徴とする請求項１又は２に記載のロール紙。
【発明の詳細な説明】
【０００１】
【発明の属する技術分野】
本発明は、記録装置等に搭載されるロール紙に関する。
【０００２】
【従来の技術】
インクジェットプリンタ等の記録装置に搭載される用紙としては、一般に定型寸法に切断されたカット紙と筒状芯に巻かれた長尺のロール紙とに大別される。ロール紙は、特にカット紙で対応しにくい大型印刷が可能である。
【０００３】
通常、ロール紙の製造は、紙管に用紙の巻き始め先端部を両面粘着テープなどで固定した後、一定のテンションをかけながら用紙を紙管に巻回することにより行われている。また、ロール紙を記録装置で使用する時には、記録装置の給紙ローラによりロール紙から用紙を引き出しながら記録を行う。ロール紙の用紙がすべて使用されると、用紙の巻き始め先端部（プリンタでの使用時には用紙の終端部となる）が紙管から剥離する。
【０００４】
従来のロール紙２０は、図８に示すように、紙管１２に長尺の用紙１４の巻き始め先端部１４ａが、用紙幅のほぼ全域が紙管１２と密着するように、両面に粘着面を有する１枚の両面粘着テープ１６により貼合されており、用紙１４が紙管１２の外周面に巻回される。両面粘着テープ１６は短冊形でほぼ用紙１４の幅の長さをもち、その長辺１７が紙送り方向Ｘ１と直交する方向Ｙと平行になっている。
【０００５】
また、別の従来のロール紙３０は、図９に示すように、紙管２２に長尺の用紙２４の巻き始め先端部２４ａが、複数枚（例えば３枚）の短冊形の両面粘着テープ２６によって貼合され、それぞれの両面粘着テープ２６の長辺２７が紙送り方向Ｘ１と直交する方向Ｙと平行になっている。
このロール紙３０は、両面粘着テープ２６の間隔や長辺２７の長さが調整されて、紙管２２と用紙２４との接着力が所望に調整されうる構成となっている。
【０００６】
両面粘着テープについては、例えば、両面の粘着性が異なる両面粘着テープが使用され、紙管側の粘着面の剥がれ強度が大きく、用紙側の粘着面の剥がれ強度が小さくなるように紙管とロール紙とが貼合されているロール紙（例えば、特許文献１参照。）、両面粘着テープとして２層構造を有し層間が剥離する層間剥離テープを用いたロール紙（例えば、特許文献２参照。）等が開示されている。
【０００７】
【特許文献１】
特開２００２−３０９４７２号公報
【特許文献２】
特開２００１−１２２４８３号公報
【０００８】
【発明が解決しようとする課題】
ここでロール紙は、用紙の巻き始め先端部が、ある範囲内の力で紙管から紙送り方向に剥離されることが要求される。用紙が紙管から紙送り方向に剥離しにくいと、印刷中に用紙を使い切った場合、“用紙の同じ部分へ繰り返して記録が行われる”、“用紙へのインクの過剰により、記録ヘッドを始めとするプリンタの種々の構成要素に悪影響を及ぼす”等の不具合が発生し易い。また、用紙が紙管から剥がれずに途中で破れてしまうこともあり、これは記録物品質を低下させることになる。
【０００９】
一方、ロール紙は、紙管と用紙とが一定以上の力で接着されている必要もある。
紙管と用紙とが十分に固定されていないと、ロール紙の製造時に作業性が著しく悪化するのみならず、印刷中に用紙が紙管から離れて紙管が空回りする状態となりやすく、用紙の巻き締めが困難となる。
特に、ＬＦＰ（Ｌａｒｇｅ  Ｆｏｒｍａｔ  Ｐｒｉｎｔｅｒ）用のロール紙を使用する場合、用紙の紙送りは、通常、用紙を巻きほぐれないように一定の力で抑制力（ブレーキ）をかけることで、記録装置によって用紙を紙送り方向に引っ張る力を一定にして、紙送りの量を一定にしている。このため、印刷中に用紙が紙管から乖離しないように、紙管と用紙とが一定以上の力で確実に接着されている必要がある。
【００１０】
しかしながら、従来のロール紙によれば、紙管と用紙との接着力を必要とされる範囲にしようとすると、用紙の巻き始め先端部が紙管から剥離するときの抵抗力（剥離抵抗力）を所望の値以下にしにくく、上記した不具合が発生し易いという問題があった。
【００１１】
本発明は上記課題に鑑みなされたものであって、その目的は、用紙と紙管との接着力を必要とされる値以上としつつ、印刷時においては記録装置の給紙力の範囲内での引っ張り力で用紙が紙管から容易に剥離可能な、剥離抵抗力を制御したロール紙を提供することである。
【００１２】
【課題を解決するための手段】
上記課題を解決するための手段として、本発明のロール紙は、紙管に長尺の用紙を巻きつけて構成されたロール紙であって、該紙管の外周と該用紙の巻き始め端部とが両面粘着テープによって貼合され、該両面粘着テープが、紙送り方向に向くと共に紙送り方向と直交する方向に対して傾く外縁を有することを特徴としている（請求項１）。
【００１３】
従来のロール紙では、紙送り方向に向く外縁が、用紙の所定幅領域において、紙管の軸線方向と平行である。したがって、前記所定幅領域において、用紙の紙管からの剥離を進行させるためには、両面粘着テープの前記所定幅領域における前記外縁の全長を紙管から剥離させていく必要がある。
これに対して、本発明のロール紙は、紙送り方向に向く外縁が、所定幅領域において、紙管の軸線方向に対して傾くようにできる。このことにより、両面粘着テープの前記所定幅領域における前記外縁の全長よりも短い距離を紙管から剥離させていくことにより実施できる。
以上により、本発明のロール紙によれば、紙管と用紙との接着を従来のロール紙と同等にできるとともに、用紙の紙管からの剥離を紙送り方向に進行させるのに必要とする力を低減できる。
【００１４】
さらに、本発明のロール紙は、前記両面粘着テープが、前記外縁から構成された、前記紙送り方向に向く頂部を有することを特徴としている（請求項２）。
【００１５】
このような構成によれば、前記外縁から構成された、紙送り方向に向く頂部において、紙管と用紙とが点接着となることから、用紙が紙管から剥がれ始めるときの剥離抵抗力を確実に小さくすることができる。よって、用紙を紙管から容易に剥離させ始めることができるので、紙管と用紙との接着力を必要とされる値以上としつつ、紙送り方向への用紙の紙管からの剥離を確実に行うことができる。
【００１６】
さらに、本発明のロール紙は、前記紙送り方向と直交する方向に対する外縁の傾き角度が１０°以上であることを特徴としている（請求項３）。
【００１７】
外縁の紙送り方向と直交する方向に対する傾き角度が１０°以上であることによって、両面粘着テープの前記外縁の全長よりも十分に短い距離を剥離させつづけることによって、用紙の紙管からの剥離を進行できる。よって、紙管と用紙との接着力を必要とされる値以上としつつ、紙送り方向に用紙を紙管から剥離するのに必要とする力をより確実に低減できる。
また、上記傾き角度が１０°より小さくとも一定の効果は得られるが、特に紙の場合、１０°未満では表面の凹凸の形状等を原因とする剥離する力のばらつきが大きくなるため、本発明の効果が一定の状態で現れにくく、剥離抵抗力を制御したロール紙の作成という本発明の目的が果たせなくなることがある。
【００１８】
【発明の実施の形態】
以下、本発明に係るロール紙の実施の形態を図面に基づいて詳細に説明する。図１及び３はそれぞれ本発明の実施形態に係るロール紙の概略斜視図である。また、図２、４〜７はそれぞれ本発明の実施形態に係るロール紙の概略平面図である。
【００１９】
図１に示すように、第１実施形態に係るロール紙１は、円筒状の紙管２に用紙４が、用紙４の巻き始め先端部４ａの用紙幅のほぼ全域が紙管２と密着するように、一枚の両面粘着テープ５を介して貼り付けられている。
そして、両面粘着テープ５は短冊形で２つの長辺６，８と２つの短辺７，９とを有し、長辺６及び短辺７は紙送り方向Ｘ１に向いており、長辺８及び短辺９は巻き戻し方向Ｘ２に向いている。両面粘着テープ５は、紙送り方向と直交する方向Ｙ（紙管２の軸線方向と一致する）に対して傾く外縁として長辺６及び短辺７を有している。前記方向Ｙに対する長辺６の傾き角度は例えば１０°とされており、短辺７の傾き角度は例えば８０°とされている。
【００２０】
ここで、本発明において、“紙送り方向と直交する方向に対する紙送り方向に傾く外縁の傾き角度”とは、前記外縁に接する記録媒体上の線と記録媒体の幅方向に平行な線とが成す、記録媒体を平坦化したときにおける角度を示すものとする。
【００２１】
また、両面粘着テープ５は紙送り方向Ｘ１に向く頂部１０を有している。この頂部１０は、記録装置でロール紙１を使用した時に、用紙４が引き出されて紙管２から剥離する際に最初に剥がれ始める部分となる。そして、両面粘着テープ５の長辺６及び短辺７はこの頂部１０を構成する２辺となっている。
【００２２】
次に、図１に示す第１実施形態に係るロール紙１をプリンタ等で使用した場合に、用紙４の巻き始め先端部４ａ（印刷時に用紙を送る場合には用紙の終端部となる）が剥離する様子を図１０に示す。また、図１１に、図８に示した従来のロール紙２０において用紙１４の巻き始め先端部１４ａが剥離する様子を示す。
【００２３】
図１１に示すように、従来のロール紙２０では、用紙１４の紙管１２からの剥離を進行させるためには、紙送り方向Ｘ１に向く外縁である長辺１７が紙送り方向と直交する方向Ｙと平行であるので、用紙１４が紙管１２から剥離していく際、両面粘着テープ５の長辺１７の全長ｄＢを紙管から剥離しなければならない。
【００２４】
一方、図１０に示すように、本実施形態に係るロール紙１では、両面粘着テープ５は紙送り方向Ｘ１に向いている外縁である長辺６が紙送り方向と直交する方向Ｙに対して傾いているので、用紙４の紙管２からの剥離の進行は、前記ｄＢよりも短い接着幅ｄＡを紙管２から剥離させることにより実施できる。
ここで、本実施形態に係るロール紙１では、巻き始め先端部４ａの用紙幅のほぼ全域が紙管２と密着しているので、両面粘着テープの接着力は従来のロール紙と同レベルのものであり、例えば、印刷時にロール紙を巻き戻す必要があるときに必要な一定以上の接着力を維持できる。
【００２５】
以上のように、図１に示す本実施形態に係るロール紙１は、図８に示す従来のロール紙２０と同程度の接着力を維持しつつ、しかも紙管が用紙と剥離する際の剥離抵抗力を低下させることができる。
【００２６】
また、図１に示す第１実施形態に係るロール紙１は、紙送り方向と直交する方向Ｙに対して、長辺６と短辺７から構成される頂部１０を有している。この頂部１０においては、紙管２と用紙４とが点接着となり、剥がれ始めの剥離抵抗力を極めて小さくすることができるので、用紙４と紙管２とが容易に剥離しやすいものとなる。
【００２７】
なお、図１０において第１実施形態に係るロール紙１の前記接着幅ｄＡは両面粘着テープ５の幅、及び、紙送り方向と直交する方向Ｙに対する長辺６の傾き角度に依存する。これらを適宜変更することにより、用紙４と紙管２との接着力及び用紙４が紙管２から剥離する時の剥離抵抗力を適当な範囲に設定することができる。
特に、両面粘着テープ５は、紙送り方向と直交する方向Ｙに対する傾き角度が１０°以上となる外縁を有しているのが好ましく、これにより前記接着幅ｄＡを確実に少なくすることができ、剥離抵抗力を確実に低減できる。また、紙送り方向と直交する方向Ｙに対し鋭角なくさび形に加工することで、傾き角度を８０°程度にまですることができるが、直角に端面カットは通常のテープでは４５°を超えない角度にすることが好ましい。
【００２８】
次に、図２に示す第２実施形態に係るロール紙５０では、用紙４４の巻き始め先端部４４ａのほぼ全域が紙管４２に密着するように、一枚の両面粘着テープ４５を介して貼り付けられている。この両面粘着テープ４５は、“くの字”形であり、その屈曲部４１が用紙４４のほぼ中央部に位置している。
また、両面粘着テープ４５は、紙送り方向Ｘ１に向くとともに紙送り方向と直交する方向Ｙに対して傾く外縁として、縁４６，４７を有しており、前記屈曲部４１にて紙送り方向Ｘ１に向く頂部４３を有している。縁４６，４７の方向Ｙとの傾き角度は、例えば１５°とされている。
【００２９】
図２に示すロール紙５０においても、両面粘着テープ４５の紙送り方向に向く縁４６，４７が紙送り方向と直交する方向Ｙに対して傾いているために、用紙４４が紙管４２から剥離する際の接着幅を小さくすることができる。したがって、この第２実施形態に係るロール紙５０においても、巻き始め先端部４４ａと紙管４２との接着力を維持しつつ、用紙４４が紙管４２から剥離する際の剥離抵抗力を低減することができる。
また、中央付近から左右均等に剥離が進むため、ロールに横方向の力が働きにくく、均等に剥がれやすいという特長もある。
【００３０】
図３に示す第３実施形態に係るロール紙４０においては、用紙５４と紙管５２とが、複数枚（例えば３枚）の短冊形の両面粘着テープ５５によって接着されている。両面粘着テープ５５は、それぞれ紙送り方向Ｘ１に向く外縁として縁５６，５７を有し、この縁５６，５７が紙送り方向と直交する方向Ｙに対して傾いている。
この形態においても、両面粘着テープ５５が紙送り方向と直交する方向Ｙに対して傾いている縁５６，５７を有するので、図９に示す従来のロール紙３０と比較すると、同程度の接着力を維持しつつ、用紙５４が紙管５２から剥離しはじめる時の接着幅を小さくできるので剥離抵抗力を低下させることができる。また、用紙５４と紙管５２との接着力は、両面粘着テープ５５の接着面積に依存すると考えられるので、両面粘着テープ５５の長さ及び幅を調整することにより、その接着力を所望の範囲に設定することができる。
【００３１】
次に、第４実施形態に係るロール紙６０においては、図４に示すように、用紙６９と紙管６８とが複数枚（例えば３枚）の三角形の両面粘着テープ５９によって接着されている。
ここで、両面粘着テープ５９の頂部は、紙送り方向Ｘ１に向いており、前記頂部を構成する両面粘着テープ５９の２つの外縁は紙送り方向と直交する方向Ｙに対して傾いている。
【００３２】
また、第５実施形態に係るロール紙６１は、第４実施形態の両面粘着テープ５９を、矢じり形状の両面粘着テープ４８に代えた形態である。ここで、両面粘着テープ４８の頂部は紙送り方向Ｘ１に向いており、前記頂部を構成する両面粘着テープ４８の外縁は紙送り方向と直交する方向Ｙに対して傾いている。
【００３３】
また、第６実施形態に係るロール紙６３は、第４実施形態における両面粘着テープ５９を円弧状の外縁６５を有する両面粘着テープ６４に代えた形態である。ここで、円弧状の外縁６５は、紙送り方向Ｘ１に向いており、該外縁６５は、紙送り方向と直交する方向Ｙに対して傾いている。
【００３４】
これらのロール紙６０，６１，６３も、図３に示す第３実施形態に係るロール紙６０と同様に、図９に示す従来のロール紙３０と比較すると、両面粘着テープ５９，４８，６４が紙送り方向Ｘ１に向くとともに紙送り方向と直交する方向Ｙに対して傾く外縁を有するので、同程度の接着力を維持しつつ、用紙が紙管から剥離する時の剥離抵抗力を低減することができる。
【００３５】
なお、第２，４〜６実施形態において、両面粘着テープ４５，５９，４８，６４は、いずれも回転非対称であり、両面粘着テープ４５，５９，４８，６４の紙送り方向側と巻き戻し方向側を容易に認識することができる。
このことにより、ロール紙の加工時に作業者又は機械が用紙と紙管とを両面粘着テープ４５，５９，４８，６４で貼り合わせる際、両面粘着テープ４５，５９，４８，６４の紙送り方向Ｘ１側に接触することなく取り扱うことができるので、作業効率が向上する、両面粘着テープ４５，５９，４８，６４の紙送り方向Ｘ１側の剥離抵抗力のばらつきを少なくすることができる、等の利点を発現できる。
【００３６】
特に、両面粘着テープ４８は、長尺状の両面粘着テープを両面粘着テープ４８の紙送り方向Ｘ１側の形状と同じ形状のテープカッターを使用して破断することにより、テープをより効率よく製造できるので、一層の作業効率化が図れる。
【００３７】
なお、上記実施形態においては、いずれの両面粘着テープも、紙送り方向に向く頂部を有する形態としたが、本発明の両面粘着テープは、紙送り方向Ｘ１に向くとともに紙送り方向と直交する方向Ｙに対して傾く外縁を有していれば、必ずしも該頂部を有する必要はなく、例えば図７に示すロール紙６２のように、両面粘着テープ４９が台形状であって、方向Ｙに対する頂部を有さない形態のものであってもよい。この実施形態においても、紙送り方向Ｘ１に向いている外縁６７が紙送り方向と直交する方向Ｙに対して傾いているので、用紙が紙管から剥離する際の剥離抵抗力を小さくできる。
【００３８】
本発明のロール紙の用途としては、特に限定されず、家庭用プリンタ、ＬＦＰ等種々の記録装置に搭載することができる。
【００３９】
【発明の効果】
本発明よれば、紙送り方向に向いている縁が紙送り方向と直交する方向（紙管の軸線方向と一致する）に対して傾いているので、接着力が一定以上に維持されつつ、用紙が紙管から容易に剥離されやすいロール紙を提供できる。
【図面の簡単な説明】
【図１】本発明のロール紙の一実施形態を示す概略斜視図である。
【図２】本発明のロール紙の一実施形態を示す概略平面図である。
【図３】本発明のロール紙の一実施形態を示す概略斜視図である。
【図４】本発明のロール紙の一実施形態を示す概略平面図である。
【図５】本発明のロール紙の一実施形態を示す概略平面図である。
【図６】本発明のロール紙の一実施形態を示す概略平面図である。
【図７】本発明のロール紙の一実施形態を示す概略平面図である。
【図８】従来のロール紙の一例を示す模式図である。
【図９】従来のロール紙の一例を示す模式図である。
【図１０】図１に示す第１実施形態に係るロール紙が剥離する様子を示した模式図である。
【図１１】図８に示す従来のロール紙が剥離する様子を示した模式図である。
【符号の説明】
１，４０，５０，６１〜６３    ロール紙
２，４２，５２，６８    紙管
４，４４，５４，６９    用紙（用紙）
５，５５，４５，４７〜４９，６４    両面粘着テープ
６，７，４６，４７，５６，５７，６５，６７  外縁
１０，４３    頂部
Ｘ１    紙送り方向
Ｙ    紙送り方向と直交する方向
【図１】
2004358755.tif 000003
【図２】
2004358755.tif 000004
【図３】
2004358755.tif 000005
【図４】
2004358755.tif 000006
【図５】
2004358755.tif 000007
【図６】
2004358755.tif 000008
【図７】
2004358755.tif 000009
【図８】
2004358755.tif 000010
【図９】
2004358755.tif 000011
【図１０】
2004358755.tif 000012
【図１１】
2004358755.tif 000013